(57)【要約】  本発明は、各々が、上面（２）、それと平行に伸びる底面（３）、および少なくとも１つの直線状の側縁（７）を有する、複数の個別のマット（１、１’、１”）を備えるマットシステムに関する。前記個別のマット（１、１’、１”）の前記直線状の側縁（７）は、それぞれ、接続手段（１０、１０’、１０”、１２）に対応する少なくとも１つのアンダーカット凹部（６、６’）を有し、接続手段（１０、１０’、１０”、１２）は、各々の半体の１つがアンダーカット凹部（６、６’）内で係合することにより、２つのマット（１、１’、１”）を直線状の側縁（７）に沿って接続できるような形状を有する。前記個別のマット（１、１’、１”）および前記接続手段（１０、１０’、１０”、１２）は、それぞれ、フォーム材料からなる少なくとも１つの層を備える。個別のマットを互いに対して方向合わせする際、および個別のマットのアンダーカットを配置する際の許容範囲が大きくても、それらを等しくすることができるように、前記接続手段（１０、１０’、１０”、１２）が、それぞれ、半径Ｒ、Ｒ’を有する互いに接続された２つの円形セグメント領域（１１、１１’、１３、１３’）を備え、前記円形セグメント領域（１１、１１’、１３、１３’）の中心点（Ｍ、Ｍ’）の間隔Ａ（Ａ、Ａ’、Ａ”、Ａ’”）について、関係（Ｉ）０．８×（Ｒ＋Ｒ’）＜Ａ＜１．３×（Ｒ＋Ｒ’）が成り立つことが提案される。【選択図】図９
2020532398.tif 000002
【特許請求の範囲】
【請求項１】
特にスポーツ用途のためのマットシステムであって、
各々が、上面（２）、前記上面（２）と平行に伸びる底面（３）、および少なくとも１つの直線状の側縁（７）を有する、複数の個別のマット（１、１’、１”）であって、前記個別のマット（１、１’、１”）の前記直線状の側縁（７）が、それぞれ、少なくとも１つのアンダーカット凹部（６、６’）を有するような複数の個別のマット（１、１’、１”）と、
各々の半体の１つがアンダーカット凹部（６、６’）内で係合することにより、２つのマット（１、１’、１”）を直線状の側縁（７）に沿って接続できるような形状を有した、接続手段（１０、１０’、１０”、１２）とを備え、
前記個別のマット（１、１’、１”）および前記接続手段（１０、１０’、１０”、１２）は、それぞれ、フォーム材料からなる少なくとも１つの層を備え、
前記接続手段（１０、１０’、１０”、１２）は、それぞれ、半径（Ｒ、Ｒ’）と中心点（Ｍ、Ｍ’）とを有する２つの互いに接続された円形セグメント領域（１１、１１’、１３、１３’）を備え、前記円形セグメント領域（１１、１１’、１３、１３’）の中心点（Ｍ、Ｍ’）の間隔Ａ（Ａ、Ａ’、Ａ”、Ａ’”）について、関係
（Ｉ）０．８×（Ｒ＋Ｒ’）＜Ａ＜１．３×（Ｒ＋Ｒ’）
が成り立つ
ことを特徴とするマットシステム。
【請求項２】
前記円形セグメント領域（１１、１１’、１３、１３’）の前記中心点（Ｍ、Ｍ’）の前記間隔Ａについて、関係
（ＩＩ）０．９×（Ｒ＋Ｒ’）＜Ａ＜１．１５×（Ｒ＋Ｒ’）
が成り立つ
ことを特徴とする請求項１に記載のマットシステム。
【請求項３】
前記接続手段（１０、１０’、１０”、１２）が鏡映対称に構成され、前記円形セグメント領域（１１、１１’、１３、１３’）が同一の半径Ｒ＝Ｒ’を有する
ことを特徴とする請求項１または２に記載のマットシステム。
【請求項４】
前記個別のマット（１、１’、１”）が矩形の断面を有する
ことを特徴とする請求項１〜３ののうちの１つに記載のマットシステム。
【請求項５】
前記個別のマット（１、１’、１”）が、その各縁において、縁長１００〜１０００ｍｍ毎にアンダーカット凹部（６、６’）を有する
ことを特徴とする請求項１〜４のうちの１つに記載のマットシステム。
【請求項６】
前記個別のマット（１、１’、１”）が、異なる密度のフォーム材料からなる幾つかの層を備える
ことを特徴とする請求項１〜５のうちの１つに記載のマットシステム。
【請求項７】
前記個別のマット（１、１’、１”）および／または接続手段（１０、１０’、１０”、１２）が、架橋ポリオレフィン、特にポリエチレンに基づくフォーム材料の層を少なくとも１つ有する
ことを特徴とする請求項１〜６のうちの１つに記載のマットシステム。
【請求項８】
前記個別のマット（１、１’、１”）の前記上面（２）における前記アンダーカット凹部（６、６’）がカバー層（４）に覆われており、前記上面（２）を見下ろしたときに前記アンダーカット凹部（６、６’）が見えない
ことを特徴とする請求項１〜７のうちの１つに記載のマットシステム。
【請求項９】
請求項１〜８のうちの１つに記載の接続手段（１０、１０’、１０”、１２）によって互いに接続された幾つかのマット（１、１’、１”）からなるマット配列。
【発明の詳細な説明】
【技術分野】
【０００１】
本発明は、スポーツ用途に適したマットシステムであって、各々が上面、それと平行に伸びる底面、および少なくとも１つの直線状の側縁を有する、複数の個別のマットを備え、個別のマットを接続手段によって互いに連結させることができる、マットシステムに関する。
【背景技術】
【０００２】
欧州特許第２２４３８９５Ａ２号から接続手段を備えたマットシステムが知られており、当該マットシステムにおいて、接続手段は、連結ブリッジによって互いに連結された２つのほぼＴ字型のセグメントで構成され、連結ブリッジは、個別のマットの直線状の縁にある、対応するアンダーカット凹部に係合する。
【０００３】
類似のシステムが欧州特許第２０３３５４７Ａ１号からも知られている。
【０００４】
欧州特許第２９５７３２８Ｂ１号から、出願人によるスポーツマットシステムが知られており、それを用いて、いくつかの色を有するマット配列を構築することができる。
【０００５】
公知のマットシステムに共通することは、マットシステムを構築し接続手段によって個別のマットを連結するとき、マットを、互いに対して非常に正確に方向合わせしなければならないことである。しかし、学校でのスポーツや格闘技などの多くの用途では、個別のマットを互いに対して方向合わせする際の一定の許容範囲と、互いに対応する個別のマットのアンダーカットを配置する際の一定の許容範囲とを等しくする必要がある。
【発明の概要】
【発明が解決しようとする課題】
【０００６】
したがって、本発明が解決しようとする問題は、この種のマットシステムであって、特にスポーツ用途に適しており、個別のマットを互いに対して方向合わせする際、および個別のマットのアンダーカットを配置する際の許容範囲が大きくても、それらを等しくすることができるマットシステムを提供することである。
【課題を解決するための手段】
【０００７】
本発明は、好ましくは従属請求項２〜８のうちの１つまたは複数の特徴との組み合わせにおいて、請求項１に記載のマットシステム、および請求項９に記載のマット配列によって、この問題を解決する。
【０００８】
本発明の１つの重要な態様は、特に、短い連結ブリッジによって互いに連結された２つの円形セグメント領域をそれぞれ有する接続手段の構成である。ここでは、連結ブリッジとは、２つの円形セグメントを連結する領域を意味すると理解される。円形セグメントの中心点の間隔が、それらの半径の合計よりも小さい場合、これは２つの円形セグメントの重複領域である。このように、２つのセグメントのそれぞれを、個別のマットの、対応する形状を有する凹部内で回転可能に係合させることが好ましく、これにより、縁において互いに隣接する２つのマットがずらされると、接続手段の各円形セグメント領域は、同様に円形のセグメントのアンダーカット凹部内で回転することができ、かなりの大きさの許容範囲を等しくすることができる。
【０００９】
しかし、その前提は、接続手段において互いに接続された円形セグメント同士を連結する連結ブリッジが、円形セグメント領域の半径に対して比較的小さいことである。
【００１０】
円形セグメント領域の２つの中心点間の間隔Ａが半径の合計（Ｒ＋Ｒ’）の０．８倍より大きく、半径の合計（Ｒ＋Ｒ’）の１．３倍より小さい場合にのみ十分な機能が得られることが分かった。
（Ｉ）０．８×（Ｒ＋Ｒ’）＜Ａ＜１．３×（Ｒ＋Ｒ’）
【００１１】
好ましくは、半径との関係における円形セグメント領域の中心点（Ｍ、Ｍ’）の間隔Ａについて、次の関係が成り立つ。
（ＩＩ）０．９×（Ｒ＋Ｒ’）＜Ａ＜１．１５×（Ｒ＋Ｒ’）
【００１２】
基本的に、接続手段は、円形セグメント領域の半径が異なる構造において非対称であってもよい。しかし、好ましくは、２つの円形セグメント領域Ｒ＋Ｒ’は同一であり、接続手段は、円形セグメント領域を接続する接続領域の中央、すなわち、２つの円形セグメント領域の中心点の接続線の中央を通る対称軸に関して対称である。好ましくは、半径ＲおよびＲ’は２５〜５０ｍｍである。
【００１３】
原則として、個別の接続手段は、上記で定義した間隔で互いに隣り合って配置される、またはわずかに重なり短い連結ブリッジで互いに接続される、２つの主円形セグメント領域に加えて、特に、接続手段の、２つの円形セグメント領域間の連結ブリッジの反対側に位置する２つの辺に、さらなるセグメントを有することが可能である。これらの追加の副セグメントは、特に主円形セグメント領域よりも大きな半径を有する、さらなる円形セグメントとすることができる。副セグメントは、２つの主円形セグメント領域の実際に望まれる回転性を幾分損なうが、マットの接続部の全体的な耐荷重性が高くなる。本発明のこの実施形態では、適切な場合、接続手段に用いられる材料の柔軟性を高め、２つの主円形セグメント領域がそれぞれある程度ねじれるようにすることで、２つの主円形セグメント領域の損なわれた回転性を補うことができる。
【００１４】
短い連結ブリッジによって互いに連結された２つの主円形セグメント領域、さらには副円形セグメント領域を備えた本発明の上記の実施形態では、主円形セグメント領域の半径ＲおよびＲ’は、好ましくは１０〜３０ｍｍであり、副円形セグメント領域は、好ましくは２５ｍｍ〜７０ｍｍである。
【００１５】
個別のマットの形状は、それらの縁の少なくとも１つが直線である限り、本発明にとってそれほど重要ではない。ただし、すべてのマットのすべての縁が直線であれば有利である。しかしながら、好ましくは、個別のマットは上面視において矩形であり、断面においても矩形である。
【００１６】
個別のマットは、好ましくは、接続手段の２つの円形セグメント領域とほぼ同じ半径を有する円形セグメント領域をそれぞれ有する複数のアンダーカット凹部をそれぞれ含む。しかしながら、マットの対応するアンダーカット凹部において、接続手段の円形セグメント領域を回転させる際に、摩擦トルクをより低く、またはより高くするために、アンダーカット凹部を、それらの半径が接続手段の円形セグメント領域の半径よりわずかに大きくまたは小さくなるように設計することが可能である。好ましくは、アンダーカット凹部の半径と接続手段の円形セグメント領域の半径の差は６％より小さく、より好ましくは３％より小さい。
【００１７】
個別のマットの寸法も同様に、本発明における広い範囲内で基本的に自由に選択されるが、好ましくは、マットの縁の長さは０．５〜４ｍである。個別のマットの個別のアンダーカット凹部の各縁における間隔は、好ましくは１００〜１０００ｍｍである。
【００１８】
本発明にとって、個別のマット、および、好ましくは個別の接続手段も、一定の弾性を有することが不可欠である。この条件は基本的に、個別のマットと接続手段が、指定されているように一定の弾力性を有するフォーム素材で主に構成される場合に満たされる。本発明の特に好ましい一実施形態によれば、マットおよび接続手段はともに、少なくとも部分的に、密度が３０〜１５０ｋｇ／ｍ３のフォーム材料からなり、特に好ましくは、密度が５０〜１００ｋｇ／ｍ３の架橋ポリオレフィンフォーム材料からなる。接続手段の材料のショア硬度は、好ましくは、適切な弾性を保証する５〜５０［Ｓｈｏｒｅ  Ａ、ＥＮ  ＩＳＯ  ８６８：２００３］である。
個別のマットは、フォーム材料で均一に構成することができるが、異なるフォーム材料のさまざまな層、および／または、フォーム材料のベースまたはさまざまなフォーム材料のさまざまな層、および、成型体の１つまたは２つのカバー層で構成することもでき、好ましくは、同様に弾性材料からなる。特に好ましくは、そのようなカバー層は、ゴム、軟質ＰＶＣまたは熱可塑性エラストマーなどの繊維強化弾性材料からなる。好ましくは、そのようなカバー層は、ベースフォーム材料に熱的にまたは接着剤、例えば反応性ポリウレタン接着剤を塗布することにより積層されてもよい。
【００１９】
フォーム材料のベースと少なくとも１つのカバー層からなるマットが使用される限り、カバー層は、好ましくは、個別の接続手段の係合に役立つ上面のアンダーカット凹部を覆うことができる。次いで、マットを互いに連結するために、接続手段を、個別のマットの底面から凹部に挿入する。マットの上面を覆う層は、フォーム材料の層を備えていてもよい。
【００２０】
個別の接続手段の係合に役立つアンダーカット凹部は、フォーム体層の高さ全体を貫通せず、その高さの一部のみを貫通していてもよい。本発明のこの実施形態では、アンダーカット凹部は、オプションとして、例えば繊維強化弾性材料からなるカバー層に加えて、一定の高さのフォーム材料で覆われるであろう。そのような実施形態では、個別の接続手段の高さは、それに応じてマットの高さよりも小さい。
【００２１】
スポーツマットまたはそれぞれの層の厚みは、広い範囲内で自由に選択できるが、好ましくは個別のマットの厚みは５〜１００ｍｍ、より好ましくは３０〜６０ｍｍである。ベース層とカバー層からなるマットが使用される限り、カバー層の厚みは、好ましくは０．２〜５ｍｍである。
【００２２】
好ましくは、各マットのアンダーカット凹部の半径との関係におけるスポーツマットの厚みについては、次の関係が成り立つ。
（ＩＩＩ）Ｒ＜厚み＜３×Ｒ
【００２３】
個別のマットは、最適なクッション性を有するように、またアスリートの力を吸収するために、いくつかの異なるフォーム素材のベースを有することもできる。適切な層の選択は、基本的に当業者によく知られている。
本発明は、図面と同様に、例である実施形態を用いて、以下に、より詳細に説明されるものとする。図面は以下を示す。
【図面の簡単な説明】
【００２４】
【図１】上面から見た本発明によるスポーツマット。
【図２】底面から見た本発明によるスポーツマット。
【図３】側面から見た図１のスポーツマット（狭い側から見た図であり、縮尺どおりではない）。
【図４】図１、図２、および図３の実施形態の例で用いられる接続手段の図。
【図５】上面から見た、図１のスポーツマットと図４の接続手段とで構成されたマットフィールド。
【図６】上方から見た、異なる３つの実施形態の接続手段。
【図７】上方から見た、異なる３つの実施形態の接続手段。
【図８】上方から見た、異なる３つの実施形態の接続手段。
【図９】許容範囲の均等化を説明するための、互いに接続された２つのスポーツマット。
【図１０】上方から見た本発明によるさらなるスポーツマット。
【図１１】下方から見た、本発明の別の実施形態による、互いに接続された２つのスポーツマット。
【図１２】上方から見た拡大した図１１による接続手段。
【発明を実施するための形態】
【００２５】
図１は、上面２を見た本発明によるマット１を示し、図２は底面３を示す。マットは、かさ密度６０ｋｇ／ｍ３、厚み４５ｍｍの化学架橋ポリエチレンからなるクッション層５と、厚み１ｍｍの布強化型熱可塑性エラストマー（ＴＰＥ）のカバー層とを備えた、２つの層で構成されている。カバー層４は、クッション層５に熱的に積層されている。マットの寸法は、０．７５ｍ×１．５ｍである。
【００２６】
特に図１に見られるように、カバー層４は、すべてのアンダーカット凹部６を完全に覆っているため、上面２からは見えない。凹部６は、図示した例ではクッション層５を完全に貫通し、断面が略円形のセグメント形状を有する。凹部６はそれぞれ、半径３５ｍｍの円形セグメント領域を有する。
【００２７】
図４および図７は、短い連結ブリッジ（図７の円形セグメント領域１１、１１’）によって互いに連結された２つの円形セグメント半体からなる接続手段１０を示し、２つの半体はマット１の凹部６に正確に対応する。接続手段は、かさ密度６０ｋｇ／ｍ３、厚み４５ｍｍの化学架橋ポリエチレンからなる。
【００２８】
図５は、１８個の個別のマット１からなるマットフィールドを示し、これらは合計４２個の接続手段１０によって互いに連結されている。図５に示す上面では、接続手段１０はカバー層４によって覆われており、見えない。
【００２９】
図７は、図４および図５で表され用いられている接続手段１０の拡大図である。接続手段１０は、同一の半径Ｒ、Ｒ’を有する２つの略円形のセグメントからなり、その間隔Ａ’は、正確に２×ＲまたはＲ＋Ｒ’に対応する。２つの円形セグメントは、短い連結ブリッジで連結されている。
【００３０】
図６は、接続手段１０’の別の実施形態を示す。これは同様に、それぞれが半径Ｒを有する２つの同一の円形セグメントからなり、これらは幾分長い連結ブリッジによって互いに連結されている。この実施形態の例における２つの円形セグメントの２つの中心点の間隔Ａは、１．１×Ｒである。
【００３１】
図８は、同様に同一の半径Ｒを有する２つの円形セグメントからなる、接続手段のさらに別の実施形態の例１０”を示す。この実施形態の例において、２つの円形セグメントの中心点Ｍ、Ｍ’の間隔Ａ”は、０．９Ｒである。
【００３２】
すべての例において、半径ＲおよびＲ’は３５ｍｍである。
【００３３】
本発明の機能的原理を、図９を用いてより詳細に説明する。図９には、底面から見た２つのマット１が示されており、図７に示されるように、２つの接続手段１０によって互いに連結されている。図７の中央の２つの矢印によって表されるように、２つのマットは互いに対して幾分ずれる。互いに対するマットのこのずれに応じて、接続手段１０の円形セグメント領域１１、１１’は、２つのマット１のそれぞれの凹部６内でわずかに回転し、弾性によりさらに変形することができ、それによって必要な許容範囲を等しくすることができる。このプロセスにおいて、互いに接する２つのマット１の縁７は、同様に、凹部６または２つの接続手段１０の領域でわずかに変形する。これは、用いられている材料の弾性により、容易に行える。２つのマット１の互いに対するこのようなずれは、凹部６内の２つの接続手段のそれぞれの円形セグメント領域１１、１１’の回転により、かなり容易になる。
【００３４】
図１０は、わずかに修正したマットの例１’を示す。このマット１’は、かさ密度７０ｋｇ／ｍ３、厚み４９ｍｍの化学架橋ポリエチレンからなるクッション層５と、厚み１ｍｍの布強化型ＰＶＣ―ｐのカバー層とを備えた、２つの層で構成されている。マットの寸法は１ｍ×２ｍで、各凹部は、直径７０ｍｍの円形セグメント領域を有する。
【００３５】
図１１および図１２は、本発明の別の実施形態を示す。本発明のこの実施形態の例による２つのマット１”は、かさ密度６０ｋｇ／ｍ３、厚み４５ｍｍの化学架橋ポリエチレンからなるクッション層と、厚み１ｍｍの布強化型熱可塑性エラストマー（ＴＰＥ）のカバー層とを備えた、２つの層で構成されている。カバー層は、クッション層に熱的に積層されている。マット１”の寸法は、それぞれ、１ｍ×２ｍである。マット１”の長辺には、各場合において、それぞれ４つの凹部６’があり、２つの短辺には、各場合において、それぞれ２つの凹部６’がある。図１１に示す実施形態の例では、縁に対する凹部６’の間隔は、各場合において１５０ｍｍであり、短辺にある２つの凹部６’の間隔は、各場合において７００ｍｍであり、２つの長辺の中央にある２つの凹部６’の間隔は、各場合において３００ｍｍであり、長辺の２つの外側の凹部６’の間隔も７００ｍｍである。
【００３６】
図１２では、図１１の実施形態の例で用いられる接続手段１２がより大きな縮尺で示されている。この場合の接続手段１２は、まず、わずかに重なり合う２つのより小さな円形セグメント、主円形セグメント１３、１３’、および今度は２つの主円形セグメント１３、１３’にわずかに重なる、外側の２つのより大きな円形セグメント１４、１４’を含む。図示した実施形態の例では、主円形セグメント１３、１３’の２つの半径Ｒ、Ｒ’はそれぞれ１７．５ｍｍであり、より大きな２つの外側（副）円形セグメント１４、１４’の半径はそれぞれ３５ｍｍである。２つの主円形セグメント１３、１３’の中心点ＭおよびＭ’の間隔Ａ’”は、３２ｍｍである。
【００３７】
本発明のこの別の実施形態の機能的原理を、図１１を用いてより詳細に説明する。図１１には、下側から見た２つのマット１”が示されており、図１２に示されるように、２つの接続手段１２を介して互いに連結されている。図１１の中央の２つの矢印によって表されるように、２つのマットは互いに対して幾分ずれる。マットが互いに対して変位する場合、接続手段１２の２つの主要な円形セグメント領域１３、１３’は、それらの弾性により、２つのマット１”のそれぞれの凹部６’において、一定のねじれ運動により変形可能であり、場合により、隣接するサブ領域においてわずかに回転し、これにより、必要な許容範囲を補う。この場合、互いに接する２つのマット１”の縁は、同様に、凹部６’または４つの接続手段１２の領域でわずかに変形する。これは、用いられている材料の弾性により、容易に行える。
【符号の説明】
【００３８】
１、ｒ、１”  マット
２  上面
３  底面
４  カバー層
５  クッション層
６、６’  凹部
７  縁
８、９  不使用
１０、１０’、１０”  接続手段
１１、１１’  円形セグメント領域
１２  接続手段
１３、１３’  主円形セグメント領域
１４、１４’  副円形セグメント領域
Ｒ、Ｒ’  半径
Ａ、Ａ’、Ａ”、Ａ’”  間隔
Ｍ、Ｍ’  中心点
【図１】
2020532398.tif 000003
【図２】
2020532398.tif 000004
【図３】
2020532398.tif 000005
【図４】
2020532398.tif 000006
【図５】
2020532398.tif 000007
【図６】
2020532398.tif 000008
【図７】
2020532398.tif 000009
【図８】
2020532398.tif 000010
【図９】
2020532398.tif 000011
【図１０】
2020532398.tif 000012
【図１１】
2020532398.tif 000013
【図１２】
2020532398.tif 000014
【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
特にスポーツ用途のためのマットシステムであって、
各々が、上面（２）、前記上面（２）と平行に伸びる底面（３）、および少なくとも１つの直線状の側縁（７）を有する、複数の個別のマット（１、１’、１”）であって、前記個別のマット（１、１’、１”）の前記直線状の側縁（７）が、それぞれ、少なくとも１つのアンダーカット凹部（６、６’）を有するような複数の個別のマット（１、１’、１”）と、
各々の半体の１つがアンダーカット凹部（６、６’）内で係合することにより、２つのマット（１、１’、１”）を直線状の側縁（７）に沿って接続できるような形状を有した、接続手段（１０、１０’、１０”、１２）とを備え、
前記個別のマット（１、１’、１”）および前記接続手段（１０、１０’、１０”、１２）は、それぞれ、フォーム材料からなる少なくとも１つの層を備え、
前記接続手段（１０、１０’、１０”、１２）は、それぞれ、半径（Ｒ、Ｒ’）と中心点（Ｍ、Ｍ’）とを有する２つの互いに接続された主円形セグメント領域（１１、１１’、１３、１３’）を備え、前記主円形セグメント領域（１１、１１’、１３、１３’）の中心点（Ｍ、Ｍ’）の間隔Ａ（Ａ、Ａ’、Ａ”、Ａ’”）について、関係
（Ｉ）０．８×（Ｒ＋Ｒ’）＜Ａ＜１．３×（Ｒ＋Ｒ’）
が成り立つ
ことを特徴とするマットシステム。
【請求項２】
前記２つの主円形セグメント領域（１１、１１’、１３、１３’）のそれぞれが、前記個別のマット（１、１’、１”）における対応する形状のアンダーカット凹部（６、６’）内で回転可能な様態で係合する
ことを特徴とする請求項１に記載のマットシステム。
【請求項３】
前記縁（７）において互いに隣接する２つのマットがずらされると、前記接続手段（１０、１０’、１０”、１２）の各主円形セグメント領域（１１、１１’、１３、１３’）は、同様に円形のセグメントのアンダーカット凹部（６、６’）内で回転することができ、それによりかなりの大きさの許容範囲を等しくすることができる
ことを特徴とする請求項２に記載のマットシステム。
【請求項４】
前記主円形セグメント領域（１１、１１’、１３、１３’）の前記中心点（Ｍ、Ｍ’）の前記間隔Ａについて、関係
（ＩＩ）０．９×（Ｒ＋Ｒ’）＜Ａ＜１．１５×（Ｒ＋Ｒ’）が成り立つ
ことを特徴とする請求項１〜３のうちの１つに記載のマットシステム。
【請求項５】
前記接続手段（１０、１０’、１０”、１２）が鏡映対称に構成され、前記主円形セグメント領域（１１、１１’、１３、１３’）が同一の半径Ｒ＝Ｒ’を有する
ことを特徴とする請求項１〜４のうちの１つに記載のマットシステム。
【請求項６】
前記接続手段（１２）が副セグメント領域（１４、１４’）をさらに備える
ことを特徴とする請求項１〜５のうちの１つに記載のマットシステム。
【請求項７】
前記副セグメント領域（１４、１４’）が、前記接続手段（１２）の前記２つの主円形セグメント領域（１１、１１’、１３、１３’）の間の連結ブリッジと反対側の２つの辺上に位置する
ことを特徴とする請求項６に記載のマットシステム。
【請求項８】
前記副円形セグメント領域（１４、１４’）が、円形セグメントである
ことを特徴とする請求項６または７に記載のマットシステム。
【請求項９】
前記副円形セグメント領域（１４、１４’）が、前記主円形セグメント領域（１１、１１’、１３、１３’）よりも半径が大きい
ことを特徴とする請求項８に記載のマットシステム。
【請求項１０】
前記個別のマット（１、１’、１”）が矩形の断面を有し、その各縁において、縁長１００〜１０００ｍｍ毎にアンダーカット凹部（６、６’）を有する
ことを特徴とする請求項１〜９のうちの１つに記載のマットシステム。
【請求項１１】
前記個別の接続手段（１０、１０’、１０”、１２）の係合に役立つアンダーカット凹部（６、６’）が、フォーム体層の高さ全体を貫通せず、その高さの一部のみを貫通している
ことを特徴とする請求項１〜１０のうちの１つに記載のマットシステム。
【請求項１２】
前記個別のマット（１、１’、１”）が、異なる密度のフォーム材料からなる幾つかの層を備えることを特徴とする請求項１〜１１のうちの１つに記載のマットシステム。
【請求項１３】
前記個別のマット（１、１’、１”）および／または接続手段（１０、１０’、１０”、１２）が、架橋ポリオレフィン、特にポリエチレンに基づくフォーム材料の層を少なくとも１つ有する
ことを特徴とする請求項１〜１２のうちの１つに記載のマットシステム。
【請求項１４】
前記個別のマット（１、１’、１”）の前記上面（２）における前記アンダーカット凹部（６、６’）がカバー層（４）に覆われており、前記上面（２）を見下ろしたときに前記アンダーカット凹部（６、６’）が見えない
ことを特徴とする請求項１〜１３のうちの１つに記載のマットシステム。
【請求項１５】
請求項１〜１４のうちの１つに記載の接続手段（１０、１０’、１０”、１２）によって互いに接続された幾つかのマット（１、１’、１”）からなるマット配列。
【国際調査報告】
2020532398.tif 000015
2020532398.tif 000016